(57)【要約】  モジュール家具アレンジメントであって、少なくとも３面で機械的及び電子的に連結可能な複数のモジュール家具要素（１０２）と、それらモジュール家具要素に連結可能な用途機能モジュールと、を含む。それら複数のモジュール家具要素の内部には、互いに絶縁された少なくとも２つの導電構造体（１０８）であって、複数のモジュール家具要素の間及びモジュール家具要素と少なくとも１つの用途機能モジュールとの間で、機械的固定手段及び導電体のいずれとしても動作する、導電構造体が配される。このモジュール家具アレンジメントは、機械的及び電気的固定方法の少なくとも１つによって、複数のモジュール家具要素（１０２）を連結する少なくとも１つの連結部（１０３）を含む。このモジュール家具アレンジメントは、そのモジュール家具要素（１０２）とその用途機能モジュール（１１８）との間にさらに電気接続（１１２）を含んで、そのモジュール家具要素（１０２）とその用途機能モジュール（１１８）との間に電気を通す。
2017529205.tif 000002
【特許請求の範囲】
【請求項１】
モジュール家具アレンジメントであって、当該モジュール家具アレンジメントは、
少なくとも３面で機械的及び電子的に連結可能な複数のモジュール家具要素と、
前記モジュール家具要素に連結可能な用途機能モジュールと、を含み、
前記用途機能モジュールは、用途に基づいて選択され、
前記複数のモジュール家具要素及び前記用途機能モジュールの内部には、互いに絶縁された少なくとも２つの導電構造体であって、複数のモジュール家具要素の間及びモジュール家具要素と少なくとも１つの用途機能モジュールとの間で、機械的固定手段及び導電体のいずれとしても動作する、導電構造体が配され、
当該モジュール家具アレンジメントは、複数のモジュール家具要素を連結する少なくとも１つの連結部を含んで、所望のサイズの家具全体を形成し、
前記連結部は、材料又は材料の組み合わせの少なくとも１つの特徴を含み、該特徴は、機械的及び電気的固定方法の少なくとも１つによって、複数のモジュール家具要素が互いに連結可能であるように処理されることができ、
当該モジュール家具アレンジメントは、前記モジュール家具要素と前記用途機能モジュールとの間に電気接続を含んで、前記モジュール家具要素と前記用途機能モジュールとの間に電気を通す、
モジュール家具アレンジメント。
【請求項２】
当該モジュール家具アレンジメントが、複数のモジュール家具要素の間及びモジュール家具要素と少なくとも１つの用途機能モジュールとの間で情報を搬送する手段を含む、請求項１に記載のモジュール家具アレンジメント。
【請求項３】
当該モジュール家具アレンジメントが、複数のモジュール家具要素の間及び用途機能モジュールとスマートデバイスとの間で情報を搬送する手段を含む、請求項２に記載のモジュール家具アレンジメント。
【請求項４】
当該モジュール家具アレンジメントが、前記用途機能モジュールの電気制御により、少なくとも１つの用途機能モジュールの用途を変更する手段を含む、請求項１に記載のモジュール家具アレンジメント。
【請求項５】
当該モジュール家具アレンジメントは、互いに絶縁された少なくとも３つ以上の導電構造体を含み、該導電構造体は、複数のモジュール家具要素の間及びモジュール家具要素と少なくとも１つの用途機能モジュールとの間で、機械的固定手段及び導電体のいずれとしても動作する、請求項１に記載のモジュール家具アレンジメント。
【請求項６】
当該モジュール家具アレンジメントは、前記用途に応じて選択される少なくとも１つのパネル状のモジュール家具要素を含む、請求項１に記載のモジュール家具アレンジメント。
【請求項７】
当該モジュール家具アレンジメントは、複数の導電構造体と、モジュール家具要素の６面で複数のモジュール家具要素を連結する連結部を含み、前記導電構造体は、機械的固定手段及び導電体のいずれとしても動作する、請求項１に記載のモジュール家具アレンジメント。
【請求項８】
当該モジュール家具アレンジメントは、複数のモジュール家具要素の間の連結間の弾性を形成する手段を含む、請求項１に記載のモジュール家具アレンジメント。
【請求項９】
当該モジュール家具アレンジメントは、当該モジュール家具アレンジメントの選択された用途に好適な電圧レベルを変換する変圧器を少なくとも１つの用途機能モジュールとして含む、請求項１に記載のモジュール家具アレンジメント。
【請求項１０】
モジュール家具全体を形成する方法であって、当該方法においては、少なくとも３面で機械的及び電子的に連結可能な複数のモジュール家具要素及び用途機能モジュールが接続され、該用途機能モジュールは用途に基づいて選択され、
前記複数のモジュール家具要素及び前記用途機能モジュールの内部には、互いに絶縁された少なくとも２つの導電構造体であって、複数のモジュール家具要素の間及びモジュール家具要素と少なくとも１つの用途機能モジュールとの間で、機械的固定手段及び導電体のいずれとしても動作する、導電構造体が配され、
当該方法においては、
複数のモジュール家具要素が連結されて、所望のサイズの家具全体を形成し、
連結部の材料又は材料の組み合わせの少なくとも１つの特徴を変化させることによって、複数のモジュール家具要素が機械的及び電気的固定方法の少なくとも１つによって、モジュール家具要素は互いに連結され、
前記モジュール家具要素と前記用途機能モジュールとの間に電気接続が形成され、前記モジュール家具要素と前記用途機能モジュールとの間に電気を通す、方法。
【発明の詳細な説明】
【技術分野】
【０００１】
社会のインフラストラクチャにおいては、様々な種類の家具が、例えば、会社、宿泊施設、病院、学校生産ライン、組立ライン、飲食店等、多くの異なる場所で用いられ、短期間の家具全体（furniture  entireties）としては、例えば、展示場でのものがある。
【背景技術】
【０００２】
例えば、会社や宿泊施設で用いられる家具構造体は、典型的には、独立した家具全体であり、それらは、コンピュータ、電話、その他のデバイスに機能的に接続されず、家具はそれら別々のデバイスに対する受動的な保管場所としてのみ用いられる。現代の多用途な技術に応じた、家具への進歩した統合を形成することに成功していない。これは、配線を組み、部屋ごとに、そしてデバイスごとに経路を決めなくてはならないという理由による。最先端の家具全体を使用する欠点は、部屋の使用目的が変更したときに適用できず、家具を全体的に変更しなくてはならないことも多いので、非実践的かつ非経済的である。電気デバイスが家具内に設置されることが望まれているときに、何度も配線を行うと、家具を取り付けるのがより難しくなる。制限要素は、清掃面、装飾品の外観面、実践面であり、平面（planes）が作業用に何もなく衛生的であることが望まれる。
【発明の概要】
【０００３】
本発明の目的は、建物（例えば、壁）及び家具を含む統合されたモジュール構造体の技術、特にモジュール家具構造体の技術であり、家具構造体が様々な種類の用途に適用できるようにする。これは、モジュール家具アレンジメントであって、当該モジュール家具アレンジメントは、少なくとも３面で機械的及び電子的に連結可能な複数のモジュール家具要素と、前記モジュール家具要素に連結可能な用途機能モジュールと、を含み、前記用途機能モジュールは、用途に基づいて選択され、前記複数のモジュール家具要素及び前記用途機能モジュールの内部には、互いに絶縁された少なくとも２つの導電構造体であって、複数のモジュール家具要素の間及びモジュール家具要素と少なくとも１つの用途機能モジュールとの間で、機械的固定手段及び導電体のいずれとしても動作する、導電構造体が配され、当該モジュール家具アレンジメントは、複数のモジュール家具要素を連結する少なくとも１つの連結部を含んで、所望のサイズの家具全体を形成し、前記連結部は、材料又は材料の組み合わせの少なくとも１つの特徴を含み、該特徴は、機械的及び電気的固定方法の少なくとも１つによって、複数のモジュール家具要素が互いに連結可能であるように処理されることができ、当該モジュール家具アレンジメントは、前記モジュール家具要素と前記用途機能モジュールとの間に電気接続を含んで、前記モジュール家具要素と前記用途機能モジュールとの間に電気を通す、モジュール家具アレンジメントにより達成される。
【０００４】
また、本発明の目的は、モジュール構造体、特には、モジュール家具全体を形成する方法である。当該方法においては、少なくとも３面で機械的及び電子的に連結可能な複数のモジュール家具要素及び用途機能モジュールが接続され、該用途機能モジュールは用途に基づいて選択され、前記複数のモジュール家具要素及び前記用途機能モジュールの内部には、互いに絶縁された少なくとも２つの導電構造体であって、複数のモジュール家具要素の間及びモジュール家具要素と少なくとも１つの用途機能モジュールとの間で、機械的固定手段及び導電体のいずれとしても動作する、導電構造体が配され、当該方法においては、複数のモジュール家具要素が連結されて、所望のサイズの家具全体を形成し、連結部の材料又は材料の組み合わせの少なくとも１つの特徴を変化させることによって、モジュール家具要素が機械的及び電気的固定方法の少なくとも１つによって、複数のモジュール家具要素は互いに連結され、前記モジュール家具要素と前記用途機能モジュールとの間に電気接続が形成され、前記モジュール家具要素と前記用途機能モジュールとの間に電気を通す。
【０００５】
また、本発明においては、モジュール家具要素の連結において、ある構造を用いることによる機械的及び電子的に連結可能なモジュール家具要素に基づく。前記構造は、複数のモジュール家具要素の間で電気を通す。用途機能モジュールが前記モジュール家具要素に連結されることができる。前記用途機能モジュールは用途に基づいて選択される。前記モジュール家具要素と前記用途機能モジュールとの間には、そのモジュール家具要素とその用途機能モジュールとの間に電気を通す電気接続が少なくともある。
【０００６】
本発明の利益は、用途に応じて適応するアクティブ構造全体が、家具構造体から形成されることができ、各用途に応じたデバイスの技術は、そのアクティブ構造全体に統合されることができる。物理的に家具の部品を変更する必要性が、部屋及び家具の構造の使用目的が変わるときに本発明を利用することによって最低限になり、デバイスを制御し、使用電圧を供給するのに必要とされるケーブルも最小限にすることができる。
【図面の簡単な説明】
【０００７】
【図１】図１は、本発明による、互いに幾何学的に連結されたモジュール家具の部品の概略を表す。
【図２】図２は、６面のモジュール家具要素を表す。
【図３Ａ】図３Ａは、本発明による、モジュール家具の部品の構造部及び固定手段を表す。
【図３Ｂ】図３Ｂは、本発明のよる、互いに接続された、モジュール家具の部品の構造部及び固定手段を表す。
【図４】図４は、結合部がツールによりロック又はロック解除される、本発明による実施形態を表す。
【図５】図５は、モジュール家具要素又は使用機能モジュールが回転移動により互いに連結されることができる、本発明による実施形態を表す。
【図６】図６は、６面のモジュール家具構造体のキャスティング内に形成された、互いに絶縁された電気を通す構造を表す。
【図７】図７は、回転移動により互いに結合するロッド状のモジュール家具要素を表す、
【図８Ａ】図８Ａは、デバイスコンポーネントがデスクトップの表面レベルにまで回転している、本発明による無線デスクトップを表す。
【図８Ｂ】図８Ｂは、デバイスコンポーネントが動作する準備が整うように上向きに回転している、本発明による無線デスクトップを表す。
【図９Ａ】図９Ａは、パネル状のモジュール家具の部品の内部構造を表す。
【図９Ｂ】図９Ｂは、家具構造体に固定されたパネル状のモジュール家具要素を表し、そのモジュール家具要素の表面に、例えば、あるモジュール家具要素、使用機能モジュール又はアクチュエータが回転移動により連結されることができる。
【図１０】図１０は、パネル状のモジュール家具要素の電気的及び機械的固定を示す。
【図１１Ａ】図１１Ａは、回転移動によりスペーサを通じて固定される２つのモジュール家具要素の全体をいわゆる分解図により表す。
【図１１Ｂ】図１１Ｂは、完全に組み立てられた図１１Ａの組立体を表す。
【図１２】図１２は、図１１Ａから図１１Ｂに表されたスペーサの内部構造を表す。
【図１３Ａ】図１３Ａは、モジュール家具部品の構造に組み込まれた少なくとも一つの耐圧チャネルを表す。
【図１３Ｂ】図１３Ｂは、モジュール家具の部品又は用途機能モジュールの構造に形成された導体コンポーネント及び連結部並びに導体コンポーネントが形成されるスペーサを表す。
【図１４】図１４は、フレキシブルで、巻き回し可能で、磁気的に引き付ける表面材料を表す。
【図１５】図１５は、モジュール家具要素の固定溝に置かれた磁気摺動部による表面材料の磁気的固定を表す。
【発明を実施するための形態】
【０００８】
本発明によるモジュール構造体、特に知的なモジュール家具は、例えば、家、会社、展示場及び飲食店で用いられることができる。モジュール家具の用途は所望のサイズで形成し、外観を何らツール、ねじ又は接着剤を用いることなく作ることができる。モジュール家具要素は、様々な種類のサイズ及び形状を有する６面の要素、必要であれば、家具の少なくとも５面の角ピースからなることができる。モジュール家具要素は、様々なサイズ及び形状のエンティティであり、例えば、６方向に繰り返し可能なエンティティである。さらに、ロッド及び様々なタイプのパネルがその家具構造体に連結される（attached  to）ことができる。それらは、分解される（disassembled）、及び所望の全体となるように組み立てられる（assembled）ことができる。本発明による有益な点は、家具構造体の各モジュール要素が互いに電気的に接続され、電気ネットワークが家具全体の構造内に形成されることができるということもある。電気ネットワーク及び固定機構は、単一コンポーネントのエンティティとしてアレンジされる。家具構造体の様々な部分において、家具の電気ネットワークから電力を受ける幅広い用途機能モジュール、すなわちデバイスコンポーネントが置かれることができる。データ転送は無線で起きるので、例えば、スマートフォン及びラップトップコンピュータは家具構造体を容易に制御する（control）することができる。病院など、要望の多い状況においては、制御又はデータ転送が、無線接続が引き起こすことがあるエラーを許容しないので、モジュールと、例えば、その平面特徴による、表面構造との間に線を引いた有線でデータは転送されることができる。可能性のある用途機能モジュール、すなわちデバイスコンポーネントには、例えば、コンピュータ、タブレット、無線チャージャ、音響設備、照明及び警報装置がある。
【０００９】
図１は、図面及び明細書で説明される特徴を有する、モジュール構造体の一例としてのモジュール家具アレンジメントの様々なサイズ又は形状のモジュール家具要素１０２を示す。モジュール家具要素１０２は、互いに接続され、様々なサイズ及び形状の家具体となるように組み立てられることができ、それにより、それらの構造体に統合されたサポート及び固定手段を介して、家具構造体の各モジュール家具要素１０２に動作電圧が伝導されることができる。
【００１０】
モジュール家具要素１０２と同様に、用途機能モジュールも任意の形状であることができる。モジュール家具要素と比較した用途機能モジュールの特性は、用途機能モジュールが電圧転送に加えて、少なくとも一つの動作機能特徴を有し、用途機能モジュール自身が、スピーカ、ランプ、変圧器、インバータ、モニタ等の任意のデバイスを含むことができ、そのモジュールが、コンピュータ、電話、照明器具等の外部制御デバイスに接続されることができる点で異なる。用途機能モジュールは、１つ以上のモジュール家具要素と置き換わることができる。
【００１１】
図２は、６面のモジュール家具要素１０２を表し、サイズによらず、６つの方向に再現可能(reproducible)であり、所望のサイズの家具体を形成する。１つ以上のモジュール家具要素１０２又は用途機能モジュール１１８がモジュール家具要素１０２に接続されることができる。あるいは、モジュール家具要素に、例えば、ランプ、ディスプレイ、スピーカ等のアクチュエータが直接的に連結されることができる。対称性を有する導電性サポート及び固定要素の複数のマウント端１０９がモジュール家具要素の少なくとも６面に出来上がっている。これにより、任意の方向でモジュール家具要素が繰り返えされることによって、所望の家具全体を形成することができる。
【００１２】
図３Ａは、複数のモジュール家具要素１０２の間又は用途機能モジュールとモジュール家具要素との間にある固定機構を表す。少なくとも５面のモジュール家具要素は、連結部として用いられる円錐ピボット１０４によって互いにはまりあう（fit）ため、モジュール家具要素の面は、摺動部を介して互いに対向するように位置決めされる。その摺動部は、摺動部１０３をモジュール家具要素のマウント溝１２４に挿入することによって、連結部として用いられる。その摺動部は、円錐形状であることができ、その円錐形状を通じてそれらを互いに対向するように挿入することによって、モジュール家具要素１０２は互いに固定される。また、適切である場合には、摺動部は、モジュール家具部品間又は用途機能モジュールに電気を通すのに用いられることができる。
【００１３】
図３Ｂは、２つのモジュール家具要素１０２を互いにロックしている摺動部１０３を表す。
【００１４】
図４は、摺動部のロック又はロック解除において、ツール１２５が用いられる実施形態を表す。ねじ穴１２６が摺動部１０３に、摺動部の摺動方向に形成されている。その穴に向かって、ツール１２５が摺動方向とは反対側からねじ込まれる。ここで、ツール１２５は摺動部１０３のねじに向かって回転する。さらに回転させることによって、ツールの平面１２７がモジュール家具要素の表面１６８に接触すると、ツールが摺動部を内側に向けて（inward）に引きはじめる。これにより、互いに対するモジュール家具要素の圧迫（compression）又は用途機能モジュールに対するモジュール家具要素の圧迫を引き起こし、反対側から、ツールを用いることにより摺動ブロックが固定状態から解除される。
【００１５】
本発明の一つの好ましい実施形態においては、モジュール家具要素１０２は全ての面で同一であり、互いに対するそれらの連結は、摺動部１０３の円錐形状のマウントによって実行される。ここでは、複数のモジュール家具要素の間にあり得る余分な空間が強固に固定されることができる。円錐形状の摺動部１０３を用いることで、本発明による、複数のモジュール家具要素の間に電気接続も形成される。一つの実施形態においては、ある方向での摺動部１０３の材料は導電性材料ではないものが選択されるように、摺動部が使用されることもできる。それにより、本発明による家具構造体内の電流を制限することが可能になる。
【００１６】
図５は、複数のモジュール家具要素１０２又は複数の用途機能モジュール１１８が回転によって互いに連結されることができる実施形態を示す。円錐ピボット１０４はモジュールを位置決めし安定化させる。両ねじボルト１２１により、２つの雌型ヘッド１２２が互いに組み合わせられることができる。図面内のキャスティング（casting）の内部構造１２３ａ及び１２３ｂは導電性があり、互いに絶縁されている。それらは、少なくとも２面で導電性の統合機械構造を形成するように配置されている。家具モジュール要素１０２は、一つ以上の方向に繰り返されて、モジュール家具全体を形成する。少なくとも一つの面では、用途機能モジュールがモジュール家具要素に連結されることができる。
【００１７】
図６は、６面のモジュール家具要素のキャスティング内に形成される、互いに絶縁された、電気を通す構造を表す。そのモジュール家具要素は、少なくとも２つの互いに絶縁された導電体を少なくとも２つの面に導く。それらの導電体は、家具構造体内で、導電性機械固定構造としても、複数のモジュール家具要素１０２の間の支持構造としても動作する。
【００１８】
図７は、本発明の例示の実施形態に従う、円形のロッド状のモジュール家具要素を表す。それらは、円錐ピボット１０４によって互いに結合し、雄型１１３及び雌型端１１４を組み合わせ、回転させることによって互いにはまりあう。キャストの内部で互いに絶縁された導電構造体１１５は、固定手段としても、電力導体としても動作する。円錐ピボット１０４の材料を変更することによって、家具の連結に対してフレキシブルな特徴を提供することができる。
【００１９】
図８Ａは、モジュール家具要素１０２及び用途機能モジュール１１８により形成されたデスクトップを表す。ここでは、用途機能モジュールのデバイスコンポーネントはデスクトップの表面レベルにまで回転している（tuned  into）。
【００２０】
図８Ｂは、例えば、所望のモジュール家具要素１０２に向けてＤＣ電圧に変換されるＡＣ電圧の供給を受ける変圧器である用途機能モジュール１１８に、一つのモジュール家具要素１０２が変更された複数のモジュール家具要素１０２及び複数の他の用途機能モジュール１０８により形成されたデスクトップを表す。図は、家具モジュールに連結された用途機能モジュール又はデバイスの例を表す。用途機能モジュール１１８はモジュール家具要素１０２から電力供給を受け、例えば、無線接続を介して、制御される。図８Ｂにおいては、回転ディスプレイ及びデスクトップレベルでのキーボードが表される。それらは、用途機能モジュールとして家具に統合されている。その家具のフレーム部は、家具モジュールの電気的及び機械的な連結手段に連結されている。そのフレーム部の内部は導電性構造が作られ、モジュール家具要素から用途機能モジュールに向けて電気を導く。物品の格納コンポーネントが用途機能モジュールに作られる。図に表されたランプ１２０は、モジュール家具要素に直接的に接続されており、そこから動作電圧を得る。
【００２１】
図９Ａは、パネル状のモジュール家具要素１０２のキャスティングの内部構造１０８ａ及び１０８ｂが構造部であり、それらは、導電性があり、互いに絶縁され、それらが、少なくとも２面で導電性の統合機械構造を形成するように配置された、実施形態を表す。モジュール家具要素１０２は一つ以上の方向に繰り返されて、モジュール家具全体を形成し、少なくとも一つの面では、用途機能モジュールがモジュール家具要素に連結されることができる。
【００２２】
図９Ｂは、モジュール家具構造を表す。ここでは、ふたの中央にパネル状のモジュール家具要素１０２が固定されている。ここでは、導電性があり、互いに絶縁された支持構造１０８がキャスティング内で互いに絶縁されている。
【００２３】
図１０は、図９Ａ及び図９Ｂに表されたパネル状のモジュール家具要素の連結機構を表す。図は、パネル状のモジュール家具要素１０２が電気的及び機械的に接続され、モジュール家具要素間に動作電圧を伝導する摺動部１０３を用いて、位置決めされた実施形態を表す。図は、例えば、モジュール家具要素、用途機能モジュール又は何等かのアクチュエータが回転移動によってモジュール家具要素１０２に連結されることができる方法を表す。
【００２４】
図９Ａ、図９Ｂ及び図１０に表されたパネルの実施形態において、構造体の内部では、固定コンポーネント及び導体コンポーネントとして部分的に動作する、絶縁された導電構造体も設けられる。パネルの中央で、表面材料の表面を通じて、位置決め及び回転によってアクチュエータの固定を許容する構造で、それが設けられる。円錐ピンは正しい位置に位置決めするように、及び固定を強化するように動作し、そのピンは取り外し可能である。水平方向の伝導性スライダロック部がモジュール家具要素の固定溝を通して、パネルの同一形状の溝に挿入されると、パネルの四辺から現れる機械的及び電気的構造によりパネルは家具に設置され、電気がモジュール間に通る。また、鉛直方向の伝導性スライダロック部がモジュールに連結されるが、同様の活動を鉛直方向に行う。
【００２５】
図１１Ａは、連結部１２８を用いることによって、互いに固定された２つのモジュール家具要素１０２ａ、１０２ｂの全体を表す。ここでは、モジュール家具要素１０２ａ（module  furniture  part）は、摺動部１０３を介して回転によるモジュール家具要素１０２ｂに固定されている。任意のサイズ及び形状のモジュール家具要素が、図１１Ａに表された連結部１２８を用いて互いに固定されることができる。連結部１２８は、例えば、円形又は角のある形の形状であることできる。それは、例えば、円形のモジュール家具要素１０２ｂとの間の連結部として動作することができる。または、それに対して用途機能モジュール１１８又は何らかのアクチュエータ１２０が接続されることができる。
【００２６】
図１１Ｂは、連結部１２９のキャスティングを表す。そのキャスティングは、図１１Ａにおいて、連結部の複数の内部構造を覆い、それらを絶縁する
【００２７】
図１２は、回転移動によって連結部１２８を介して第一のモジュール家具要素にロックされる第二のモジュール家具要素を表す。その第二のモジュール家具要素は、ロッド形状又は角のある形の形状であることができる。２つのモジュール家具要素は円錐ピボット１０４により互いに連結され、位置決めされる。その円錐ピボットの材料を変更することによって、連結ポイントにおけるフレキシビリティが変更されることができる。摺動部１０３を用いることによって家具モジュール１０２が、連結部１２８により電気的にも機械的にも互いに接続されることができる。連結部の構造体１３０は、少なくとも二つの異なる相互に絶縁された導電性要素からなる。その周りにはキャスティングがあり、そのキャスティングは、その導電性要素を強化し、互いに位置決めするものである。互いに固定されるモジュール家具要素及びそのキャスティングも、キャスティング内部で導電性機械構造１３０の部品を互いに絶縁する。接合強度を保証する又は向上することが望ましい実施形態においては、任意の形状のモジュール家具要素を通したクランプねじ１３１（clamping  screw）が設けられることができる。そのねじのベースが、次から次へと（screw  after  screw）ねじを巻くことによる連続的な固定のための内部ねじ山１３２を備えて形成される。それら多くのねじ固定によって、モジュール家具要素間には、それらのサイズ又は形状によらず、要求されるより強固な連結を得ることができる。
【００２８】
図１３Ａは、モジュール家具要素１０２の構造体に統合された少なくとも一つの耐圧チャネル１３３を表す。それに沿って、例えば、液体、ガス又は空気が少なくとも２つのモジュール家具要素の間で搬送されることができる。
【００２９】
図１３Ｂは、互いに絶縁された少なくとも二つの配線（wires）を備えたモジュール家具のキャスティングの内部に位置する導体手段１３４を表す。導体手段１３４は、摺動導体部１３５を通じて、少なくとも２つのモジュール家具要素１０２間の、又はモジュール家具要素と用途機能モジュールとの間の電気を通す。摺動導体部１３５の構造の内部では、導体手段１３４と形状が同一の導体手段１３４が形成されている。その導体手段を通じて、モジュール家具要素間に、又は用途機能モジュールに向けた電気が通る。
【００３０】
図１４は、フレキシブルで、巻き回し可能で、磁気的に引き付ける表面材料１３７を表す。その表面材料は、磁気摺動部１３８によって動かない状態で保たれている。その磁気摺動部は、家具モジュール１０２又は用途機能モジュール１１８の固定溝１２４に挿入されている。ここでは、磁気摺動部１３８は、それらの形状に基づいて位置決め及び固定される。
【００３１】
図１５は、モジュール家具要素１０２の表面内の溝１２４に位置した磁気摺動部１３８による、表面材料１３７の磁気的な固定を表す。
【００３２】
次に、図１〜図１５を参照して、本発明による実施形態が提示される。モジュール家具アレンジメント１００は、機械的及び電子的に取り付け可能なモジュール家具要素１０２と、そのモジュール家具要素に取り付け可能な用途機能モジュール１１８と、を含む。用途機能モジュールは、用途に基づいて選択される。複数のモジュール家具要素及び用途機能モジュールの内部には、互いに絶縁された少なくとも２つの導電構造体１０８が配置される。それらの構造体１０８は、複数のモジュール家具要素の間及びモジュール家具要素と少なくとも一つの用途機能モジュールとの間で、機械的固定手段及び導電体のいずれとしても動作する。用途機能モジュール１１８が少なくとも１つのモジュール家具要素１０２に固定されるとき、電気接続１１２がモジュール家具要素１０２と用途機能モジュール１１８との間に形成されて、そのモジュール家具要素１０２とその用途機能モジュール１１８との間に電気を通す。その電気接続１１２は、モジュール家具要素１０２の導電部（つまり、導体）及び用途機能モジュール１１８が固定の際に連結されたときに、形成される。用途機能モジュールは、例えば、上述したコンピュータ、タブレット、無線チャージャ、音響設備、照明、警報装置等の例えば、デバイスコンポーネントであることができる。そのモジュール家具アレンジメントは、複数のモジュール家具要素１０２を連結する少なくとも１つの連結部１０３を含み、所望のサイズの家具全体を形成する。その連結部は、少なくとも、材料又は材料の組み合わせの一つの特徴を含む。その特徴は、少なくとも機械的及び電気的固定方法の少なくとも１つによって、複数のモジュール家具要素１０２が互いに取り付け可能となるように処理されることができる。例えば、複数のモジュール家具要素を互いに連結する一つの連結部１０３が用いられる実施形態においては、複数のモジュール家具要素の間の導電構造体がショートしないような材料の組み合わせが連結部に形成されなくてはならないので、この例において、連結部の全体が導電性材料のものであることができない。それゆえ、連結部１０３の材料又は材料の性質は、本発明の異なる実施形態に応じて形成される、つまり、処理される。連結部１０３は、例えば、導電性材料を含む、金属、合金材料等の導電性材料で作られている。機械的な取り付けのためのみに用いられる連結部は非導体材料又は材料混合物であることもできる。
【００３３】
本発明による一つの実施形態においては、モジュール家具アレンジメントは、複数のモジュール家具要素１０２の間又はモジュール家具要素１０２と少なくとも一つの用途機能モジュール１１８との間で情報を搬送するための手段１１１を含むことができる。少なくとも一つのパネル状のモジュール家具要素１０２は、用途に応じて選択され、モジュール家具要素１０２に連結されることができる。そのような実施形態は、図９Ａ、図９Ｂ及び図１０に表される。
【００３４】
磁気的固定が用いられて、用途機能モジュール１１８又は表面要素１３７を用途機能モジュール１０２に取り付ける。それらは、機械的にそのテーブルに位置決められ、磁気的に連結される。表面要素は、様々なサイズ及び形状であることができ、意図された使用にそれぞれ必要とされる材料からできている。また、モジュール家具アレンジメントは、用途機能モジュールの電気的制御によって、少なくとも一つの用途機能モジュールの用途を変更するための手段１１１を含むことができる。その制御において、電気的設定は、例えば、用途機能モジュール１１８のキーボード（図８Ａ〜図８Ｂ）を手動で用いることによって、若しくはモジュール家具要素１０２を介して用途機能モジュールに情報を搬送する手段１１１によって、又は、スマートフォン等のユーザ制御装置から用途機能モジュール１１８への無線制御で修正される。
【００３５】
本発明による一つの実施形態においては、モジュール家具アレンジメントは、導電構造体１０８と、機械的及び電気的連結を形成することによってモジュール家具要素の６面で、複数のモジュール家具要素１０２を互いに取り付ける連結部１０３と、を含むことができる。その構造体１０８は、機械的固定手段及び導電体のいずれとしても複数のモジュール家具要素の間で動作する。それゆえ、家具構造体は、モジュール家具要素がそれらの電気ネットワーク及び繰り返される可能性を維持するように、例えば、６つの異なる方向に成長することができる。用途機能モジュール１１８は、少なくとも１つのモジュール家具要素１０２にそれぞれ連結されることができる。
【００３６】
本発明による一つの実施形態においては、モジュール家具アレンジメントは、複数のモジュール家具要素１０２の間の連結間に弾性を形成する手段を含むことができる。例えば、選択された用途に好適な、図３Ａ及び図５に表された円錐ピボットの材料又は選択された用途に好適な任意のタイプの連結部を選択することによって、固く硬い（hard  and  rigid）家具構造体にフレキシブルな特徴が形成されることができる。
【００３７】
モジュール家具アレンジメントは、そのモジュール家具アレンジメントの選択された用途に好適な電圧レベルを変換する変圧器１１８を少なくとも一つの用途機能モジュールとして含むことができる。装置の下は、保管ロッカーにしておくことができる。例えば、家具の足に位置した変圧器モジュールは、例えば、２３０ＶのＡＣ電圧が供給され、ＤＣ電圧、例えば１９〜４８Ｖに変換することができる。
【００３８】
本発明の一つの好ましい実施形態においては、人間と家具構造体との間の相互作用的な接続が達成される。ここでは、モジュール家具アレンジメントは、動き、熱及び／又は音を測定するセンサによって人間の存在を検出することができる。本発明による家具構造体において、センサによって測定された測定結果が知的な測定システムに統合される。ここでは、ソフトウェアプロセッサ技術を用いることによって、モジュール家具アレンジメントと人間との間にある相互作用的なインターフェースにおいて、人間の存在の測定結果が解釈されることができる。例えば、警報装置、存在及び／又はアクセス制御であるプルグラマブルな特性が存在検出特徴として追加される。この特徴は、近くにいる人間の性別及び人間の大きさを特定することができ、人間と家具構造体との間の相互作用から生じるデータを記憶することができる。
【００３９】
次に、本発明の実施形態による様々な用途の例が提示される。
【００４０】
Ａ）  モジュール家具アレンジメントは、例えば、展示場で、プレゼンテーション家具構造体に用いられることができる。より重い物を運ぶのに適したより強固な材料を用いることによって、それを実装することもできる。モジュール方式であるので、かなり高さの観覧席の（fair  stands）様々なサイズで用いられても制限を受けない。その家具は、発送のために所望の梱包サイズに分解することが簡単である。例示の実施形態においては、観覧席で家具に連結された画面でデモ動画が再生される。家具は、関心のある顧客が近くで止まったときを認識する。家具は顧客との相互活動を開始する。押しつけがましい時間のかかる販売員による状況を生じさせることなく、顧客に展示物に興味を持ってもらうのが容易である。顧客は、その家具を介して、セールスマンを来るように呼んだり、将来的な連絡のため、その顧客の連絡先の詳細を労なくその家具に伝える（dictate）。
【００４１】
Ｂ）  多次元建造プラットフォーム（Multidimensional  building  platfrom）は、人間と家具との間の相互作用を容易に達成することを可能にする。モバイルゲームにおけるように、本発明によるモジュール家具構造の知能は近くにいる人間の関心に向かう（reach）。家具に取り付けられたセンサは、人間の存在を検出し、その家具をスリープモードから起こす。家具モジュールに統合されたスクリーンは簡単で興味深い質問を作成する。人間は、双方向性が作成され、データ収集が開始されたことに気づきさえしない。データ収集では、機械との相互作用なら人間との相互作用よりも達成するのが容易である。人間は調査をする人間を避ける。これは、調査がどのくらいの時間がかかるかわからないためである。その家具により、関心がないときに、罪の意識又は他の人間を毛嫌いすることなく単に質問を終えることが簡単である。
【００４２】
Ｃ）  モジュール家具アレンジメントによるオフィス家具は、ソリューションの新時代のスタイルを備えたオフィス内に大きな変化をもたらすことができる。ユーザは、サイズ、形状及び関連したイクイップメントにおいて、望むように家具を修正することができる。無線ソリューションは、オフィス内の清潔面及び衛生面に完全に新しい外観を与える。家具に設置されたデバイスの位置はかなり容易に変更されることができる。表面材料は、家具の新たな本体を必要とすることなく、変更されて新たな外観をもたらすことができる。例として、ＣＥＯの部屋を提示する。ＣＥＯが部屋に到着する。ＣＥＯがデスクの所に腰を下ろし、無線で電話をダウンロードする統合プラットフォームのためのそのデスクにスマートフォンをセットする。指示者は電話のセキュリティコードをダイヤルし、家具及び生活照明のコンピュータシステムを起動し、スマートフォン上で、コンピュータと人間とそれらの接続を開始する。ＣＥＯは、デスクトップからオフィス全体の立ち上がったデバイスを管理することができる。スタップに属する各ワークステーションは、家具に取り付けられたセンサを備え、存在を容易に把握することが可能である。アクセス制御が容易になる。システムは、禁止時間での動きを検出し、警報を鳴らす警報モードに設定されることができる。ディスプレイ及びキーボードをテーブルのレベルにまで回転させることができる。そのレベル面（level  surface）は、それらが再度回転して起こされるまでは、他のレベル面と一体になっており、それらの下には例えば、保管ロッカーがあることができる。
【００４３】
Ｄ）  訓練目的において、モジュール家具構造体の統合デバイスは家具に固定され、それらは動かすことができない。デバイスは電気的に安全である。これは、家具ネットワークに対して、それらには２３０Ｖの交流電圧は供給されないためである。教室の清潔面と性能面は配線がないことで著しく向上するだろう。生徒は、他の生徒を邪魔することなく、無線で先生に質問することができる。このシステムは、リアルタイムでの節約（saving）とともに、リアルタイムでの生徒の物理的な教育的作業の監視を可能にする。特別な教育用途においては、家具は、モバイルゲームのような興味を引く学習状況を形成するとともに、例えば、落ち着きのない生徒をガイドして、報酬を与えることができる。
【００４４】
Ｅ）  モジュール家具アレンジメントは、飲食店スタッフの作業タスクを減少させ、強化する。顧客に対応するためのより多くの回数が維持される。顧客が飲食店に入り、家具に統合されたディスプレイデバイスで注文を実行する。注文と料金の支払いとともに、家具は、大人に対して簡便性（easy  possible）を提供するとともに子供に対するアミューズメントを含むことができる。無線ソリューションであれば、清潔に保つのがより簡単である。
【００４５】
ナイトクラブにおいては、モジュール家具構造体は、注文をとるウェイトレスの代わりとして活動することができる。設置された様々なＬＥＤ照明コンポーネントが、配線なしで、リズム音楽とともに動作する（live）ことができる。
【００４６】
Ｆ）  モジュール家具アレンジメントは、例えば、家又は病院内において、例えば、ディスプレイ、スピーカ、ベビーモニタ、心拍センサ、カメラであることができる用途機能モジュール又はアクチュエータが無線で接続及び制御される子供用の無線ベッドを可能にする。病院用途に対して、親はモバイル方式で子供を容易に見守ることができ、家具を介して視覚音声接続を形成することができる。
【００４７】
本発明の実施形態において、モジュール家具アレンジメントの制御は有線通信接続を介して、又は例えば、スマートフォン等のモバイルデバイスである、無線データ通信アレンジメントを介して達成されることができる。本発明の一つの実施形態においては、モジュール家具アレンジメントの表面材料が目立たない導体ラインの間に組み込まれることができる。モジュール家具アレンジメントの面に沿ったそのようなデータ搬送が、例えば、無線データ通信に不確実性が有り得る環境において、用いられることができる。
【００４８】
本発明の一つの実施形態においては、テーブル高さ調整が完全に無線で行われることができる。
【００４９】
本発明による実施形態においては、フロアに固定される平たく、加工された、電源ケーブルを用いることができる。ここで、ケーブルは目立たず、つまずかせることもなく、例えば、清掃作業に難事を引き起こさない。そのケーブルで、１１０〜２３０ＡＣＶの動作電圧が家具に供給されることができる。
【００５０】
本発明の上述の実施形態におけるアレンジメントは、モジュール家具アレンジメントであるが、建物におけるアレンジメント、例えば、壁の構造におけるアレンジメントも本発明の範囲内である。
【００５１】
本発明は本明細書及び本図面を参照して上記に説明されたが、本発明は、本明細書及び本図面に限られず、本発明は添付の特許請求の範囲内で修正されることができる。
【００５２】
上記に説明されたものは、現状、本発明の好ましい実施形態とされるものであると理解される。しかし、好ましい実施形態の記載は、実施例としてのみ与えられるのであって、添付の請求項によって規定された発明の範囲を逸脱することなく様々な修正が可能であることに留意すべきである。
【図１】
2017529205.tif 000003
【図２】
2017529205.tif 000004
【図３Ａ】
2017529205.tif 000005
【図３Ｂ】
2017529205.tif 000006
【図４】
2017529205.tif 000007
【図５】
2017529205.tif 000008
【図６】
2017529205.tif 000009
【図７】
2017529205.tif 000010
【図８Ａ】
2017529205.tif 000011
【図８Ｂ】
2017529205.tif 000012
【図９Ａ】
2017529205.tif 000013
【図９Ｂ】
2017529205.tif 000014
【図１０】
2017529205.tif 000015
【図１１Ａ】
2017529205.tif 000016
【図１１Ｂ】
2017529205.tif 000017
【図１２】
2017529205.tif 000018
【図１３Ａ】
2017529205.tif 000019
【図１３Ｂ】
2017529205.tif 000020
【図１４】
2017529205.tif 000021
【図１５】
2017529205.tif 000022
【国際調査報告】
2017529205.tif 000023
2017529205.tif 000024